(57)【要約】  簡単な構造で色ムラと輝度ムラを低減した照明光を出射する車両用灯具を提供する。  当該車両用灯具は、励起光を出射する光源と、光源から出射した励起光に励起されて蛍光光を出射する蛍光体と、励起光のうち蛍光体の表面で正反射した正反射光を拡散する拡散板と、蛍光体から出射した蛍光光と拡散板により拡散された拡散励起光を車両前方へ反射するリフレクタと、を備え、蛍光体は光源の上方に配置され、リフレクタの反射面は、蛍光体から正反射光が反射した方向から蛍光体の下方に掛けて当該蛍光体を臨むように形成されている。
2014174652.tif 000002
【特許請求の範囲】
【請求項１】
励起光を出射する光源と、
前記光源から出射した励起光に励起されて蛍光光を出射する蛍光体と、
前記励起光のうち前記蛍光体の表面で正反射した正反射光を拡散する拡散板と、
前記蛍光体から出射した蛍光光と前記拡散板により拡散された拡散励起光を車両前方へ反射するリフレクタと、を備え、
前記蛍光体は前記光源の上方に配置され、
前記リフレクタの反射面は、前記蛍光体から前記正反射光が反射した方向から前記蛍光体の下方に掛けて当該蛍光体を臨むように形成されている、車両用灯具。
【請求項２】
前記蛍光体を一部の領域に形成する金属プレートと、
前記リフレクタに対して前記金属プレートを固定する金属プレートホルダと、
前記金属プレートに対して前記拡散板を固定する拡散板ホルダと、を更に備える、請求項１記載の車両用灯具。
【請求項３】
前記拡散板ホルダは、前記拡散板を前記蛍光体に入射する励起光の光軸と平行となるように固定する、請求項２記載の車両用灯具。
【請求項４】
励起光を出射する半導体発光素子と、
前記半導体発光素子から出射した励起光に励起されて蛍光光を出射する蛍光体と、
前記励起光のうち前記蛍光体の表面で正反射した励起光を拡散する拡散板と、
前記蛍光体から出射した蛍光光と前記拡散板により拡散された拡散励起光を車両前方へ反射するリフレクタと、を備え、
前記拡散板は、前記蛍光体に入射する励起光の光軸と平行となるよう配置されている、車両用灯具。
【請求項５】
前記蛍光光と前記拡散励起光は、混色して略白色光となり、照明光として車両前方に出射する、請求項１乃至４何れか一に記載の車両用灯具。
【発明の詳細な説明】
【技術分野】
【０００１】
本発明は、レーザー発光素子を用いた車両用灯具に関する。
【背景技術】
【０００２】
近年の自動車用ヘッドランプなどの車両用灯具では、光源の消費エネルギー低減のため、発光ダイオード（ＬＥＤ）やレーザーダイオード（ＬＤ）を用いた製品が提案され、一部実用化されている。特にＬＤ光源の場合、光変換効率が高く、発光面積が小さいので、灯具の小型化に有利となる。【０００３】
車両用灯具では、国際規格等により色度が定められており、ヘッドランプは白色もしくは淡黄色と定められている。そして、近年、ヘッドランプが出射する照明光の色温度を高める需要が高まっている。ここで、特許文献１には、青色帯の励起光（レーザー光）を出射する励起光源と、当該励起光を受けて緑色帯から赤色帯の蛍光光を発光する発光部と、励起光と蛍光光を混色する光混合層と、を備えた照明装置が開示されている。
【先行技術文献】
【特許文献】
【０００４】
【特許文献１】特開２０１２−５４０８４号公報
【発明の概要】
【発明が解決しようとする課題】
【０００５】
特許文献１によれば、色ムラと輝度ムラを低減する構成として、リフレクタに励起光の透過穴を設け、当該透過穴を介して、励起光を蛍光体に照射している。しかし、当該透過穴を適切に加工するのは困難、という課題がある。当該透過穴は大きすぎると照明光の漏れが増え、小さすぎると励起光を透過させる調節が困難となる。【０００６】
そこで、本発明の目的は、簡単な構造で色ムラと輝度ムラを低減した車両用灯具を提供することにある。
【課題を解決するための手段】
【０００７】
上記課題を解決するため、本発明の望ましい態様の一つは次の通りである。当該車両用灯具は、励起光を出射する光源と、光源から出射した励起光に励起されて蛍光光を出射する蛍光体と、励起光のうち蛍光体の表面で正反射した正反射光を拡散する拡散板と、蛍光体から出射した蛍光光と拡散板により拡散された拡散励起光を車両前方へ反射するリフレクタと、を備え、蛍光体は光源の上方に配置され、リフレクタの反射面は、蛍光体から正反射光が反射した方向から蛍光体の下方に掛けて当該蛍光体を臨むように形成されている。
【発明の効果】
【０００８】
本発明によれば、簡単な構造で色ムラと輝度ムラを低減した車両用灯具を提供することができる。
【図面の簡単な説明】
【０００９】
【図１】車両用灯具の構成を示す側断面図。
【図２】照明光の光路を示す側断面図。
【発明を実施するための形態】
【実施例】
【００１０】
以下、本発明の実施形態について、図面を参照して説明する。【００１１】
図１は、車両用灯具の構成を示す側断面図で、励起光の光路も示している。車両用灯具１は、いわゆるプロジェクタ型の灯具であり、半導体発光素子からなる光源１１、集光レンズ１２、励起光に励起されて黄色の蛍光光を発する蛍光体１３、金属プレート１４、リフレクタ１５、拡散板１６、金属プレートホルダ１７、及び、拡散板ホルダ１８を備えている。光源１１はレーザーダイオード（ＬＤ）であり、励起光（青色レーザー光）を出射する。集光レンズ１２は、光源１１の出射側に配置され、光源１１から出射した励起光を、上方に配置された蛍光体１３の表面に集光させる。蛍光体１３は、金属プレート１４上の一部領域に形成されており、該金属プレート１４は金属プレートホルダ１７を介してリフレクタ１５に固定されている。【００１２】
蛍光体１３に入射する励起光１００の多くは指向性を持たない（インコヒーレントな）蛍光光１０４に変換して散乱するが、一部の励起光は蛍光光に変換しきれず、蛍光体表面でそのまま正反射する。ここで正反射した励起光の成分である正反射光１０２は、拡散板１６を透過すると指向性を持たない拡散励起光１０３となる。これらの拡散励起光（青色光）１０３と蛍光光（黄色光）１０４が混色することで白色光となり、リフレクタ１５へ入射する。４５０ｎｍ（青色）の励起光と、５００ｎｍから６５０ｎｍ（緑〜黄赤色）の領域に波長を持つ蛍光体を使用した場合、励起光１００の約３０％が蛍光体１３で正反射し、ヘッドランプ規格を満たした、色温度の高い白色光の一部となる。【００１３】
拡散板１６は、ガラス材質の透過型拡散板であり、拡散板ホルダ１８を介して金属プレート１４に固定されている。又、拡散板１６は、励起光１００が蛍光体１３に入射した後、正反射する光路上に、励起光１００の光軸１０１と平行になるよう配置されている。平行に配置するのは、励起光１００を拡散板１６が遮りにくくし、蛍光体１３と拡散板１６の距離を近づけることができるからである。拡散板１６と蛍光体１３の発光点が近いほど、拡散励起光と蛍光光各々の照明光の分布が等しくなり、色ムラと輝度ムラの低減に寄与する。【００１４】
金属プレート１４は蛍光体１３を保持すると共に、表面が鏡面となっている。金属プレート１４は水平方向に対して傾斜させ、光源１１からの励起光１００のうち蛍光体１３の表面で正反射した成分である正反射光１０２が、拡散板１６を透過しリフレクタ１５の方向へ導くように配置されている。これにより、蛍光体１３から発生した白色光はリフレクタ１５に入射する。【００１５】
リフレクタ１５は、上方斜め前方に開口する湾曲板状に形成されて、蛍光体１３の下方を臨むように配置されている。このリフレクタ１５の上面は、蛍光体１３から出射した白色光を車両前方へ反射させる反射面１５ａとなっている。反射面１５ａは、所望の配光分布を得られるよう自由曲面形状に、例えば放物面を基調とした形状に形成されている。この反射面１５ａは、蛍光体１３の後方（蛍光体１３から正反射光１０２が反射した方向）から下方に掛けて蛍光体１３を臨むように形成されており、蛍光体１３から出射した白色光を、車両前方に照射する。【００１６】
自由曲面リフレクタを使用する利点は、ADB（Adaptive Driving Beam）のような複雑な配光特性を実現しつつ、ヘッドランプの小型化ができることである。近年、運転手が歩行者を視認し易く、対向車両を過度に照射しないADB技術を用いたヘッドランプの需要が高まっている。ここで、従来技術ではADBのような複雑な配光は複数の光源を搭載することで実現している。自由曲面リフレクタを用いれば、光源の数が減るため、ヘッドランプの小型化が可能となる。【００１７】
光源１１から励起光１００が出射すると、集光レンズ１２で集光され、蛍光体１３の表面に前方斜め下方から入射する。そして、蛍光体１３から後方へ向かった正反射光１０２を、拡散板１６に入射させて拡散するため、蛍光体表面で正反射した励起光を拡散し、照明光全域に出射でき、蛍光光と均一に重ね合わせ、色ムラと輝度ムラが低減された照明光を提供することができる。【００１８】
図２は、車両用灯具１の照明光の光路を示す側断面図である。上記のように、拡散励起光１０３と蛍光光１０４が混色して、白色の照明光が下方に向かう。そして、リフレクタ１５の反射面１５ａで前方へ反射した照明光２００は、車両前方へ出射する。反射面１５ａは自由曲面形状となっているため、照射光２００は所望の配光分布が得られるように出射する。【００１９】
以上のように、本実施例の車両用灯具１によれば、簡単な構造で色ムラと輝度ムラが低減された照明光を出射する車両用灯具を実現できる。
【符号の説明】
【００２０】
１：車両用灯具、１１：光源、１２：集光レンズ、１３：蛍光体、１４：金属プレート、１５：リフレクタ、１５ａ：反射面、１６：拡散板、１７：金属プレートホルダ、１８：拡散板ホルダ、１００：励起光、１０１：励起光の光軸、１０２：励起光の正反射光、１０３：拡散励起光、１０４：蛍光光、２００：照明光。
【図１】
2014174652.tif 000003
【図２】
2014174652.tif 000004
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
励起光を出射する光源と、
前記光源から出射した励起光に励起されて蛍光光を出射する蛍光体と、
前記励起光のうち前記蛍光体の表面で正反射した正反射光を拡散する拡散板と、
前記蛍光体から出射した蛍光光と前記拡散板により拡散された拡散励起光を車両前方へ反射するリフレクタと、
前記蛍光体を一部の領域に形成する金属プレートと、
前記リフレクタに対して前記金属プレートを固定する金属プレートホルダと、
前記金属プレートに対して前記拡散板を固定する拡散板ホルダと、を備え、
前記蛍光体は前記光源の上方に配置され、
前記リフレクタの反射面は、前記蛍光体から前記正反射光が反射した方向から前記蛍光体の下方に掛けて当該蛍光体を臨むように形成されている、車両用灯具。
【請求項２】
前記拡散板ホルダは、前記拡散板における励起光が入射する面が、前記蛍光体に入射する励起光の光軸と平行となるように、前記拡散板を固定する、請求項１に記載の車両用灯具。
【請求項３】
励起光を出射する半導体発光素子と、
前記半導体発光素子から出射した励起光に励起されて蛍光光を出射する蛍光体と、
前記励起光のうち前記蛍光体の表面で正反射した励起光を拡散する拡散板と、
前記蛍光体から出射した蛍光光と前記拡散板により拡散された拡散励起光を車両前方へ反射するリフレクタと、
前記蛍光体を一部の領域に形成する金属プレートと、
前記リフレクタに対して前記金属プレートを固定する金属プレートホルダと、
前記金属プレートに対して前記拡散板を固定する拡散板ホルダと、を備え、
前記拡散板における励起光が入射する面が、前記蛍光体に入射する励起光の光軸と平行となるよう配置されている、車両用灯具。
【請求項４】
前記蛍光光と前記拡散励起光は、混色して略白色光となり、照明光として車両前方に出射する、請求項１乃至３何れか一に記載の車両用灯具。
【国際調査報告】
2014174652.tif 000005
2014174652.tif 000006
2014174652.tif 000007
2014174652.tif 000008